【手続補正書】
【提出日】平成17年9月22日(2005.9.22)
【手続補正１】
【補正対象書類名】明細書
【補正対象項目名】００６６
【補正方法】削除
【補正の内容】
【手続補正２】
【補正対象書類名】明細書
【補正対象項目名】００６７
【補正方法】削除
【補正の内容】
【手続補正３】
【補正対象書類名】明細書
【補正対象項目名】００６８
【補正方法】削除
【補正の内容】
【手続補正４】
【補正対象書類名】明細書
【補正対象項目名】００６９
【補正方法】削除
【補正の内容】
【手続補正５】
【補正対象書類名】明細書
【補正対象項目名】００７０
【補正方法】削除
【補正の内容】
【手続補正６】
【補正対象書類名】明細書
【補正対象項目名】００７１
【補正方法】削除
【補正の内容】
【手続補正７】
【補正対象書類名】明細書
【補正対象項目名】００７２
【補正方法】削除
【補正の内容】
【手続補正８】
【補正対象書類名】明細書
【補正対象項目名】００７３
【補正方法】削除
【補正の内容】
【手続補正９】
【補正対象書類名】明細書
【補正対象項目名】００７４
【補正方法】削除
【補正の内容】
【手続補正１０】
【補正対象書類名】明細書
【補正対象項目名】００７５
【補正方法】削除
【補正の内容】
【手続補正１１】
【補正対象書類名】明細書
【補正対象項目名】００７６
【補正方法】削除
【補正の内容】
【手続補正１２】
【補正対象書類名】明細書
【補正対象項目名】００７７
【補正方法】削除
【補正の内容】
【手続補正１３】
【補正対象書類名】明細書
【補正対象項目名】００７８
【補正方法】削除
【補正の内容】
【手続補正１４】
【補正対象書類名】明細書
【補正対象項目名】００８３
【補正方法】変更
【補正の内容】
【００８３】
比較例１〜４の結果を表２に示した。
【手続補正１５】
【補正対象書類名】明細書
【補正対象項目名】００８４
【補正方法】変更
【補正の内容】
【００８４】
【表２】
2004149938.tif 000001
【手続補正１６】
【補正対象書類名】明細書
【補正対象項目名】００８５
【補正方法】変更
【補正の内容】
【００８５】
実施例９
引取速度を４０００ｍ／分に変更した以外は実施例１と同様にして紡糸した。その結果、得られた処理コードの強度、ゴム中耐熱性及びタイヤ均一性に極めて優れており、操業性も極めて優れていた。
【手続補正１７】
【補正対象書類名】明細書
【補正対象項目名】００８６
【補正方法】変更
【補正の内容】
【００８６】
実施例１０
引取速度を４０００ｍ／分に変更した以外は実施例２と同様にして紡糸した。その結果、得られた処理コードの強度、ゴム中耐熱性及びタイヤ均一性に極めて優れており、操業性も極めて優れていた。
【手続補正１８】
【補正対象書類名】明細書
【補正対象項目名】００８７
【補正方法】変更
【補正の内容】
【００８７】
実施例１１
引取速度を４０００ｍ／分に変更した以外は実施例３と同様にして紡糸した。その結果、得られた処理コードの強度、ゴム中耐熱性及びタイヤ均一性に極めて優れており、操業性も極めて優れていた。
【手続補正１９】
【補正対象書類名】明細書
【補正対象項目名】００８８
【補正方法】変更
【補正の内容】
【００８８】
実施例１２
引取速度を５０００ｍ／分に変更した以外は実施例４と同様にして紡糸した。その結果、得られた処理コードの強度、ゴム中耐熱性及びタイヤ均一性に極めて優れており、操業性も極めて優れていた。
【手続補正２０】
【補正対象書類名】明細書
【補正対象項目名】００８９
【補正方法】変更
【補正の内容】
【００８９】
実施例１３
引取速度を４０００ｍ／分に変更した以外は実施例５と同様にして紡糸した。その結果、得られた処理コードの強度、ゴム中耐熱性及びタイヤ均一性に優れており、操業性も優れていた。
【手続補正２１】
【補正対象書類名】明細書
【補正対象項目名】００９０
【補正方法】変更
【補正の内容】
【００９０】
実施例１４
引取速度を４０００ｍ／分に変更した以外は実施例６と同様にして紡糸した。その結果、得られた処理コードの強度、ゴム中耐熱性及びタイヤ均一性に極めて優れており、操業性も極めて優れていた。
【手続補正２２】
【補正対象書類名】明細書
【補正対象項目名】００９１
【補正方法】変更
【補正の内容】
【００９１】
実施例１５
引取速度を４０００ｍ／分に変更した以外は実施例７と同様にして紡糸した。その結果、得られた処理コードの強度、ゴム中耐熱性及びタイヤ均一性に極めて優れており、操業性も極めて優れていた。
【手続補正２３】
【補正対象書類名】明細書
【補正対象項目名】００９２
【補正方法】変更
【補正の内容】
【００９２】
実施例１６
引取速度を４０００ｍ／分に変更した以外は実施例８と同様にして紡糸した。その結果、得られた処理コードの強度、ゴム中耐熱性及びタイヤ均一性に極めて優れており、操業性も極めて優れていた。
【手続補正２４】
【補正対象書類名】明細書
【補正対象項目名】００９３
【補正方法】変更
【補正の内容】
【００９３】
実施例９〜１６の結果を表３に示した。
【手続補正２５】
【補正対象書類名】明細書
【補正対象項目名】００９４
【補正方法】変更
【補正の内容】
【００９４】
【表３】
2004149938.tif 000002
【手続補正２６】
【補正対象書類名】明細書
【補正対象項目名】００９５
【補正方法】変更
【補正の内容】
【００９５】
実施例１７
チタン触媒の種類をクエン酸キレートに変更した以外は実施例９と同様にして紡糸した。その結果、得られた処理コードの強度、ゴム中耐熱性及びタイヤ均一性に極めて優れており、操業性も極めて優れていた。
なお、クエン酸キレートチタン化合物の合成方法は以下のとおりである。
（クエン酸キレートチタン化合物の合成方法）
攪拌機、凝縮器及び温度計を備えた１Ｌのフラスコ中に温水（９２．８ｇ）にクエン酸・一水和物（１３２．５ｇ、０．６３モル）を溶解させた。この撹拌されている溶液に適下漏斗からチタンテトライソプロポキシド（７２．０ｇ、０．２５モル）をゆっくり加えた。この混合物を１時間加熱、還流させて曇った溶液を生成させ、これよりイソプロパノール／水混合物を真空下で蒸留した。その生成物を７０℃より低い温度まで冷却し、そしてその撹拌されている溶液にＮａＯＨ（９４．８ｇ、０．７６モル）の３２重量／重量％水溶液を滴下漏斗によりゆっくり加えた。得られた生成物をろ過し、次いでエチレングリコール（１２５．５４ｇ、２０モル）と混合し、そして真空下で加熱してイソプロパノール／水を除去し、わずかに曇った淡黄色の生成物（Ｔｉ含有量３．８５重量％）を得た。
【手続補正２７】
【補正対象書類名】明細書
【補正対象項目名】００９６
【補正方法】変更
【補正の内容】
【００９６】
実施例１８
チタン触媒の種類をクエン酸キレートに変更した以外は実施例１０と同様にして紡糸した。その結果、得られた処理コードの強度、ゴム中耐熱性及びタイヤ均一性に極めて優れており、操業性も極めて優れていた。
【手続補正２８】
【補正対象書類名】明細書
【補正対象項目名】００９７
【補正方法】変更
【補正の内容】
【００９７】
実施例１９
チタン触媒の種類をクエン酸キレートに変更した以外は実施例１３と同様にして紡糸した。その結果、得られた処理コードの強度、ゴム中耐熱性及びタイヤ均一性に優れており、操業性も優れていた。
【手続補正２９】
【補正対象書類名】明細書
【補正対象項目名】００９８
【補正方法】変更
【補正の内容】
【００９８】
実施例２０
チタン触媒の種類をクエン酸キレートに変更した以外は実施例１４と同様にして紡糸した。その結果、得られた処理コードの強度、ゴム中耐熱性及びタイヤ均一性に極めて優れており、操業性も極めて優れていた。
【手続補正３０】
【補正対象書類名】明細書
【補正対象項目名】００９９
【補正方法】変更
【補正の内容】
【００９９】
実施例２１
チタン触媒の種類をチタンテトライソプロポキシドに変更した以外は実施例１７と同様にして紡糸した。その結果、得られた処理コードの強度、ゴム中耐熱性及びタイヤ均一性に極めて優れており、操業性も極めて優れていた。
【手続補正３１】
【補正対象書類名】明細書
【補正対象項目名】０１００
【補正方法】変更
【補正の内容】
【０１００】
実施例２２
チタン触媒の種類をチタンテトライソプロポキシドに変更した以外は実施例１８と同様にして紡糸した。その結果、得られた処理コードの強度、ゴム中耐熱性及びタイヤ均一性に極めて優れており、操業性も極めて優れていた。
【手続補正３２】
【補正対象書類名】明細書
【補正対象項目名】０１０１
【補正方法】変更
【補正の内容】
【０１０１】
実施例２３
チタン触媒の種類をチタンテトライソブトキシドに変更した以外は実施例１７と同様にして紡糸した。その結果、得られた処理コードの強度、ゴム中耐熱性及びタイヤ均一性に極めて優れており、操業性も極めて優れていた。
【手続補正３３】
【補正対象書類名】明細書
【補正対象項目名】０１０２
【補正方法】変更
【補正の内容】
【０１０２】
実施例２４
チタン触媒の種類をチタンテトラブトキシドに変更した以外は実施例１８と同様にして紡糸した。その結果、得られた処理コードの強度、ゴム中耐熱性及びタイヤ均一性に極めて優れており、操業性も極めて優れていた。
なお、チタンテトライソプロポキシド及びチタンテトラブトキシド（日本曹達社製）はリン化合物とチタン錯体を形成していれば良く、特に限定されるものではない。具体的には、チタン化合物とリン化合物をそれぞれグリコール溶液にて希釈し、同一の反応槽に添加しても良く、または、異なる反応槽にそれぞれ添加しても良い。より好ましくはチタン化合物とリン化合物をグリコール溶液にて撹拌混合し、チタン錯体を形成させてから反応槽に添加しても良いが特に限定されるものではない。また、チタン錯体を形成させるために、チタン原子に配位する能力を持ったキレート剤を用いても良く、特に限定されない。
【手続補正３４】
【補正対象書類名】明細書
【補正対象項目名】０１０３
【補正方法】変更
【補正の内容】
【０１０３】
実施例１７〜２４の結果を表４に示した。
【手続補正３５】
【補正対象書類名】明細書
【補正対象項目名】０１０４
【補正方法】変更
【補正の内容】
【０１０４】
【表４】
2004149938.tif 000003
【手続補正３６】
【補正対象書類名】明細書
【補正対象項目名】０１０９
【補正方法】変更
【補正の内容】
【０１０９】
比較例５〜８の結果を表５に示した。
【手続補正３７】
【補正対象書類名】明細書
【補正対象項目名】０１１０
【補正方法】変更
【補正の内容】
【０１１０】
【表５】
2004149938.tif 000004